(57)【要約】【課題】チャージポンプ回路におけるノイズの発生を防止する。【解決手段】スイッチＳ１、Ｓ３の組と、スイッチＳ２、Ｓ４の組を交互のオンオフすることで、出力に−ＶＣＣを得る。そして、電源ＶＣＣからコンデンサＣ１への充電放電に定電流回路ＣＳ１、ＣＳ２をそれぞれ用いる。そこで、大電流を制限してノイズの発生を防止できる。【選択図】図１
2005151777.tif 000002
【特許請求の範囲】
【請求項１】
充電されたコンデンサの充電電圧を利用して、電源電圧をシフトさせて出力電圧を得るチャージポンプ回路において、
コンデンサへの充電または放電に定電流源からの定電流を用いることを特徴とするチャージポンプ回路。
【請求項２】
高電圧電源または低電圧電源のいずれかを選択する第１スイッチ手段と、
この第１スイッチ手段に一端が接続され、充放電されるコンデンサと、
このコンデンサの他端を、低電圧電源または出力端のいずれかに選択接続する第２スイッチ手段と、
を有し、
前記第１スイッチ手段によって高電圧電源を選択しているときに、前記第２スイッチ手段によってコンデンサの他端を低電圧電源に接続し、前記第１スイッチ手段によって低電圧電源を選択しているときに、前記第２スイッチ手段によってコンデンサの他端を出力端に接続し、出力端に高電圧電源に対応する電圧だけ低電圧電源より低い出力電圧を得るとともに、
前記コンデンサへの充放電経路に定電流回路を挿入することで、コンデンサへの充放電電流を定電流にすることを特徴とするチャージポンプ回路。
【請求項３】
請求項２に記載のチャージポンプ回路において、
前記低電圧電源は、グランドであり、出力電圧として、マイナス電源を得ることを特徴とするチャージポンプ回路。
【請求項４】
請求項３に記載のチャージポンプ回路により得られたマイナス電源を利用して、入力信号を増幅するアンプであって、アンプの出力に、グランドの電圧を中心として変動する増幅信号を得ることを特徴とするアンプ。
【請求項５】
請求項４に記載のアンプにおいて、
前記入力信号は、同期信号を含む映像信号であり、
前記第１および第２スイッチ手段は、映像信号から分離された前記同期信号に基づいて行われることを特徴とするアンプ。
【請求項６】
請求項５に記載のアンプにおいて、
前記チャージポンプ回路の出力を所定電圧を比較する比較手段と、
この比較手段の比較結果により、十分なマイナス電圧が得られていないときに、アンプの動作を禁止する禁止手段と、
を有することを特徴とするアンプ。
【発明の詳細な説明】
【技術分野】
【０００１】
本発明は、充電されたコンデンサの充電電圧を利用して、電源電圧をシフトさせて出力電圧を得るチャージポンプ回路およびこのチャージポンプ回路の出力を電源として利用するアンプに関する。
【背景技術】
【０００２】
従来より、各種回路において、チャージポンプ回路が利用されている。特に、携帯用の各種機器では、電池電源を利用するため電源電圧が限られる。一方、各種回路では、その動作を容易にするために、電源電圧はなるべく高いものを利用したという要求がある。そこで、チャージポンプ回路を用いて電池電源の電圧を昇圧することがよく行われる。このようなコンデンサを利用するチャージポンプ回路については、例えば特許文献１などに開示がある。
【０００３】
【特許文献１】特開平７−２９８６０７号公報
【発明の開示】
【発明が解決しようとする課題】
【０００４】
しかし、上述の従来のチャージポンプ回路は、スイッチングの際に、コンデンサの端部の電圧が大きく変化する。従って、切替の瞬間に電源やグランドに大きな電流が流れて、ノイズが発生し、電源、グランド、出力端に現れてしまう。このために、デジタル回路においては、問題が生じない場合もあるが、アナログの信号を取り扱う半導体集積回路においては、使用することが難しいという問題がある。
【０００５】
例えば、１μＦの容量（Ｃ）に、１μｓｅｃの時間（Δｔ）で１Ｖ充電（ΔＶ）する場合、１Ａ（ΔＩ）の電流が必要である。これは、式ΔＩ＝（Ｃ×ΔＶ）÷Δｔによって、導かれる。半導体集積回路において、１Ａという電流はかなり大きな電流であり、これがスイッチングの度にその経路に流れれば、通常の場合ノイズが発生することになる。
【０００６】
本発明は、ノイズ発生を抑えることを１つの目的とする。
【課題を解決するための手段】
【０００７】
本発明は、充電されたコンデンサの充電電圧を利用して、電源電圧をシフトさせて出力電圧を得るチャージポンプ回路において、コンデンサへの充電または放電に定電流源からの定電流を用いることを特徴とする。
【０００８】
また、本発明は、高電圧電源または低電圧電源のいずれかを選択する第１スイッチ手段と、この第１スイッチ手段に一端が接続され、充放電されるコンデンサと、このコンデンサの他端を、低電圧電源または出力端のいずれかに選択接続する第２スイッチ手段と、を有し、前記第１スイッチ手段によって高電圧電源を選択しているときに、前記第２スイッチ手段によってコンデンサの他端を低電圧電源に接続し、前記第１スイッチ手段によって低電圧電源を選択しているときに、前記第２スイッチ手段によってコンデンサの他端を出力端に接続し、出力端に高電圧電源に対応する電圧だけ低電圧電源より低い出力電圧を得るとともに、前記コンデンサへの充放電経路に定電流回路を挿入することで、コンデンサへの充放電電流を定電流にすることを特徴とする。
【０００９】
また、前記低電圧電源は、グランドであり、出力電圧として、マイナス電源を得ることが好適である。
【００１０】
また、本発明のアンプは、上述のチャージポンプ回路により得られたマイナス電源を利用して、入力信号を増幅するアンプであって、アンプの出力に、グランドの電圧を中心として変動する増幅信号を得ることを特徴とする。
【００１１】
また、このアンプは、前記入力信号は、同期信号を含む映像信号であり、前記第１および第２スイッチ手段は、映像信号から分離された前記同期信号に基づいて行われることが好適である。
【００１２】
また、アンプは、前記チャージポンプ回路の出力を所定電圧を比較する比較手段と、この比較手段の比較結果により、十分なマイナス電圧が得られていないときに、アンプの動作を禁止する禁止手段と、を有することが好適である。
【発明の効果】
【００１３】
このように、本発明によれば、チャージポンプ回路において、コンデンサへの充電または放電に定電流源からの定電流を用いる。これによって、コンデンサの充電または放電時において、大電流が生じ電源電位および出力にノイズがのることを防止することができる。
【００１４】
また、定電流回路を用いてコンデンサへの充放電を行うことで、コンデンサへの充放電電流を制限することができ、高電圧電源、低電圧電源、および出力にスイッチングノイズがのることを防止することができる。
【００１５】
また、このようなチャージポンプ回路により得られたマイナス電源を、入力信号を増幅するアンプに利用することで、アンプの出力にグランドの電圧を中心として変動する増幅信号を得ることができ、直流カットコンデンサを不要とすることができ、またサグの発生を防止できる。
【００１６】
また、映像信号から分離された前記同期信号をチャージポンプのクロックに用いることで、特別の発振器を省略できる。
【００１７】
また、十分なマイナス電圧が得られていないときに、アンプの動作を禁止することで、映像信号の入力がない待機時などに自動的にアンプの動作を禁止することができる。
【発明を実施するための最良の形態】
【００１８】
以下、本発明の実施形態について、図面に基づいて説明する。
「チャージポンプ回路」
図１は、一実施形態に係るチャージポンプ回路の構成を示す図である。この回路も、電源ＶＣＣから−ＶＣＣを得るチャージポンプ回路である
電源ＶＣＣの一端は、電圧０Ｖのグランドに接続され、他端は、定電流回路ＣＳ１およびスイッチＳ１を介しコンデンサＣ１の一端に接続されている。
【００１９】
また、このコンデンサＣ１の一端は、スイッチＳ２および定電流回路ＣＳ２を介しグランドにも接続されている。
【００２０】
コンデンサＣ１の他端は、スイッチＳ３を介しグランドに接続されるとともに、スイッチＳ４を介し出力端に接続され、また出力端には、他端がグランドに接続されたコンデンサＣ２の一端が接続されている。
【００２１】
このようなチャージポンプ回路において、スイッチＳ１、Ｓ３の組と、スイッチＳ２、Ｓ４の組を相補的にオンオフする。すなわち、スイッチＳ１、Ｓ３がオンの時に、スイッチＳ２、Ｓ４をオフし、スイッチＳ２、Ｓ４がオンの時に、スイッチＳ１、Ｓ３をオフし、これを定期的に繰り返す。
【００２２】
そして、スイッチＳ１、Ｓ３がオンの期間に、コンデンサＣ１には、その入力側に定電流回路ＣＳ１からの電流が供給され、出力側がグランド電位になる。これによって、コンデンサＣ１には、電圧ＶＣＣまで充電される。一方、スイッチＳ２、Ｓ４がオンの期間にその入力側から定電流回路ＣＳ２の電流が引き抜かれ、その電圧がグランド電位まで低下する。一方、コンデンサの出力側は出力端に接続されているが、グランドから切り離されている。そこで、コンデンサＣ１の充電状態自体は維持され、コンデンサＣ１の出力側の電圧が−ＶＣＣとなり、出力端の電圧も−ＶＣＣとなる。
【００２３】
また、この電圧がコンデンサＣ２によって保持され、出力端のおける電圧−ＶＣＣが維持される。
【００２４】
このように、本実施形態では、定電流源からの電流を用いてコンデンサＣ１への充放電を行う。従って、この充放電電流の電流量を制限することができ、電源、グランドにおけるノイズの発生を抑制することができる。
【００２５】
図３（ａ）には、スイッチＳ１〜Ｓ４のスイッチングの波形を示してある。このように、スイッチＳ１、Ｓ３の組と、スイッチＳ２、Ｓ４の組を相補的にオンする。
【００２６】
図２には、図１の構成において、定電流回路ＣＳ１、ＣＳ２を削除し、スイッチＳ１を電源ＶＣＣに直接接続するとともに、スイッチＳ２をグランドに直接接続した比較例の構成を示してある。
【００２７】
そして、図３（ｂ）には、図２の比較例における電源からの電流波形し、図３（ｃ）には、図１の実施形態における電源電流波形を示してある。このように、定電流回路ＣＳ１、ＣＳ２を挿入することで、電流値の上限を図３（ｂ）の制限として示した値より小さな適切なものに維持することができ、これによって電源ノイズの発生を防止できることが分かる。
【００２８】
さらに、図３（ｄ）には、図２の比較例におけるグランドへの電流波形、図３（ｅ）には、図１の実施形態におけるグランド電流波形を示してある。このように、定電流回路ＣＳ１、ＣＳ２を挿入することで、電流値の上限を図３（ｄ）の制限として示した値より小さな適切なものに維持することができ、これによって電源ノイズの発生を防止できることが分かる。
【００２９】
なお、本実施形態では、−ＶＣＣを発生するチャージポンプについてのみ説明したが、充電されたコンデンサの低電位側を高電圧電源に接続して昇圧を行うチャージポンプにおいても、定電流源を用いて同様の効果が得られる。
「映像信号処理回路」
図４には、映像信号処理回路を示してある。映像信号は、クランプ回路１０に入力される。このクランプ回路１０は、映像信号における一定の直流レベルを示すペデスタルレベルまたはシンクチップレベルをクランプする。映像信号は、例えば図５（ａ）に示すような信号であり、１水平期間の最初には、低レベルの水平同期信号が配置されており、クランプ回路１０は、この水平同期信号のレベルを所定電圧にクランプする。クランプ回路１０の出力は、プリアンプ１２において所定の増幅がなされた後、メインアンプ１４において、所定のレベルに増幅される。そして、このようにして得られた映像信号が、７５Ωの同軸給電線１６を介して出力される。なお、同軸給電線１６による信号の伝送は、図に示すように、入力信号を２つの７５Ωの抵抗の中間点から出力することに該当する。なお、図４において、一点鎖線で囲った部分が１つの半導体集積回路に形成される。
【００３０】
また、クランプ回路１０の出力は、同期分離回路１８に入力される。同期分離回路１８は、図５（ｂ）に示すように、所定レベル以下の部分を抽出することで、水平同期信号を分離する。これによって、図５（ｃ）に示す、１水平ライン毎のパルス信号からなる水平同期信号が得られる。なお、立ち上がりまたは立ち下がり部分を検出することで、一定期間のパルスを発生することで、垂直同期信号も水平同期信号と同様のパルスとすることができる。また、奇数フィールドと偶数フィールドの切れ目で、１水平期間の半分の期間で水平同期信号が出力されるが、この信号については、１水平期間の７５％程度をマスキングするハーフエッジキラーを設けることなどによって除去すればよい。
【００３１】
同期分離回路１８の出力は、デューティー５０％回路２０に供給される。このデューティー５０％回路２０は、図５（ｄ）に示すように、１水平期間を１周期としてその中点でＨとＬが切り替わるデューティー比が約５０％の信号を生成出力する。そして、このデューティーが約５０％の信号は、マイナス電源として機能するチャージポンプ回路２２に直接供給されるとともに、インバータ２４を介し図５（ｅ）に示す信号が供給される。
【００３２】
従って、チャージポンプ回路２２には、図５（ｄ）に示す１水平期間の前半がＬ、後半がＨの信号と、図５（ｅ）に示す前半がＨ、後半がＬの信号の２つのクロックが供給される。なお、チャージポンプ回路２２に供給する信号は図５（ｄ）、（ｅ）のいずれか一方の信号のみでもよい。
【００３３】
チャージポンプ回路２２は、上述したチャージポンプ回路であって、電源電圧ＶＣＣについて、上記クロックを利用して、−ＶＣＣを作成する。なお、コンデンサＣ１、Ｃ２は、外付け部品として形成されるため、図においてはコンデンサＣ１、Ｃ２がチャージポンプ回路２２とは別に示してある。
【００３４】
チャージポンプ回路２２の出力は、メインアンプ１４にそのマイナス電源として、供給される。このため、メインアンプ１４は、通常の電源ＶＣＣと、マイナス電源−ＶＣＣとの間で動作することができ、出力する映像信号として、０Ｖを基準とする信号を出力することができる。そこで、その出力において、直流カットのためのコンデンサが不要になるという効果が得られる。
【００３５】
特に、本実施形態では、映像信号に含まれている水平同期信号をチャージポンプ回路２２のクロックとして利用している。従って、チャージポンプ回路２２において、特別の発振器などが不要となる。
【００３６】
図６は、他の実施形態の構成を示す図である。この実施形態では、図４の構成に対し、ＤＣ判定回路３０およびバイアス電流オンオフ回路３２を追加して有している。このＤＣ判定回路３０には、上記チャージポンプ回路２２の出力よりは高い（０Ｖに近い）所定の基準マイナス電源３４が接続されており、チャージポンプ回路２２からの−ＶＣＣをこの基準マイナス電源３４からの基準マイナス電圧と比較し、チャージポンプ回路２２が十分動作しているかを判定する。なお、このＤＣ判定回路３０は、チャージポンプ回路２２からの出力が十分であるかを判定できればどのような構成でもよく、例えば電源電圧と、マイナス電源−ＶＣＣの間に高抵抗の分圧抵抗を配置し、分圧電圧が所定値以下になっているか否かを判定するなどの手段も採用することができる。
【００３７】
そして、バイアス電流オンオフ回路３２は、ＤＣ判定回路３０の判定結果において、チャージポンプ回路２２の出力が十分でないと判定した場合には、プリアンプ１２およびメインアンプ１４の動作を停止させる。例えば、これらプリアンプ１２、メインアンプ１４では、その動作のために定電流回路を使用しており、この定電流回路を停止することで、動作を停止させることができる。なお、これらプリアンプ１２、メインアンプ１４への電源電圧の供給を停止するなど、他の手段によってプリアンプ１２およびメインアンプ１４の動作を停止させることもできる。
【００３８】
このように、本実施形態では、チャージポンプ回路２２の出力が十分でない場合に、プリアンプ１２およびメインアンプ１４の動作を停止し、省電力化を図ることができる。特に、本実施形態では、入力信号である映像信号から分離された水平同期信号をチャージポンプ回路２２の動作クロックとして用いている。従って、処理対象である映像信号の入力がない待機時などにおいて、チャージポンプ回路２２の動作が停止され、その際にプリアンプ１２およびメインアンプ１４の動作が停止され、省電力化が図られることになる。
【００３９】
図７には、メインアンプ１４の概略構成例が示されている。相補的な入力信号が入力される一対のｎｐｎ型のトランジスタＱ１０と、Ｑ１２は、そのエミッタが共通接続され、定電流回路ＣＳ１０を介しマイナス電源−ＶＣＣに接続されている。トランジスタＱ１０、Ｑ１２のコレクタは、一対のｐｎｐ型トランジスタＱ１４、１６のコレクタにそれぞれ接続され、トランジスタＱ１４、Ｑ１６のエミッタが電源ＶＣＣに接続されている。また、トランジスタＱ１４、Ｑ１６のベースは共通接続されるとともに、トランジスタＱ１６のベースコレクタ間が短絡され、トランジスタＱ１４、Ｑ１６はカレントミラーを形成している。そして、トランジスタＱ１４のコレクタと、トランジスタＱ１０のコレクタの接続点が出力端になっており、ここに入力信号の差動増幅された信号が得られる。
【００４０】
トランジスタＱ１４のコレクタと、トランジスタＱ１０のコレクタの接続点（出力端）は、エミッタがＶＣＣに接続されたｐｎｐ型のトランジスタＱ１８のベースに接続されており、このトランジスタＱ１８のコレクタは、ｎｐｎトランジスタＱ２０のコレクタに接続されている。トランジスタＱ２０のベースコレクタ間は短絡されており、エミッタは−ＶＣＣに接続されている。
【００４１】
トランジスタＱ２０のベースは、エミッタが−ＶＣＣに接続されたｎｐｎトランジスタＱ２２のベースに接続されており、トランジスタＱ２０、Ｑ２２は、カレントミラーを構成している。
【００４２】
トランジスタＱ２２のコレクタは、トランジスタＱ２４のエミッタに接続され、トランジスタＱ２４のコレクタは、定電流回路ＣＳ１２を介しＶＣＣに接続されている。また、トランジスタＱ２２のコレクタには、ｐｎｐトランジスタＱ２６のコレクタに接続され、このトランジスタＱ２６のエミッタが定電流回路ＣＳ１２にトランジスタＱ２４のコレクタとともに接続されている。すなわち、トランジスタＱ２４と、トランジスタＱ２６は、定電流回路ＣＳ１２と、トランジスタＱ２２との間に並列接続されている。
【００４３】
トランジスタＱ２４のベースは、定電流回路ＣＳ１４の下流側と、ダイオードＤ１０のアノードとの接続点に接続されている。定電流回路ＣＳ１４の上流側はＶＣＣに接続されており、ダイオードＤ１０のカソードは他のダイオードＤ１２のアノードに接続され、ダイオードＤ１２のカソードが−ＶＣＣに接続されている。すなわち、定電流回路ＣＳ１４からの定電流が、ダイオードＤ１２、Ｄ１４に流れ、トランジスタＱ２４のベース電圧は、ダイオードＤ１２、Ｄ１３の２つのダイオードの電圧降下分だけ−ＶＣＣより高い電圧に保持される。
【００４４】
一方トランジスタＱ２６のベースは、定電流回路ＣＳ１６の上流側と、ダイオードＤ１４のカソードとの接続点に接続されている。定電流回路ＣＳ１６の下流側は−ＶＣＣに接続されており、ダイオードＤ１４のアノードは他のダイオードＤ１６のカソードに接続され、ダイオードＤ１６のアノードがＶＣＣに接続されている。すなわち、定電流回路ＣＳ１６の定電流が、ダイオードＤ１４、Ｄ１６に流れ、トランジスタＱ２６のベース電圧は、ダイオードＤ１４、Ｄ１６の２つのダイオードの電圧降下分だけＶＣＣより低い電圧に保持される。
【００４５】
そして、トランジスタＱ２４のコレクタと、トランジスタＱ２６のエミッタが共通接続される定電流回路ＣＳ１２の下流側は、ｐｎｐ型のトランジスタＱ２８のベースに接続されており、このトランジスタＱ２８のエミッタはＶＣＣに接続され、コレクタは出力端ＯＵＴに接続されている。トランジスタＱ２４のエミッタと、トランジスタＱ２６のコレクタが共通接続されるトランジスタＱ２２のコレクタは、ｎｐｎ型のトランジスタＱ３０のベースに接続されており、このトランジスタＱ３０のエミッタは−ＶＣＣに接続され、コレクタは出力端ＯＵＴに接続されている。
【００４６】
さらに、出力端ＯＵＴは、抵抗Ｒ１を介しトランジスタＱ１２のベースに接続（負帰還）され、またトランジスタＱ１２のベースは抵抗Ｒ２を介し基準電圧ｒｅｆが供給されるようになっている。
【００４７】
このような構成において、トランジスタＱ１０、Ｑ１２のベースに入力される入力信号が、増幅された信号がトランジスタＱ１８のベースに供給され、これに応じた電流が、トランジスタＱ１８、Ｑ２０を介し、トランジスタＱ２２に流れる。一方、トランジスタＱ２２のコレクタは、トランジスタＱ２４、Ｑ２６を介し、１つの定電流回路ＣＳ１２に接続されています。従って、トランジスタＱ２２に流れる電流が所定量より大きくなった場合には、トランジスタＱ２８のベース電流が大きくなり、これに応じた電流が出力端ＯＵＴから出力されトランジスタＱ２２に流れる電流が所定量より小さくなった場合には、トランジスタＱ３０のベース電流が大きくなり、これに応じた電流が出力端ＯＵＴから引き込まれる。
【００４８】
この出力端からの出力は、ＶＣＣと、−ＶＣＣの間で、行われることになり、例えば、０Ｖを中心にして振動する信号とすることができる。なお、上述の基準電圧ｒｅｆを変更することで、入力信号のオフセット電圧を設定することができ、出力における直流成分を設定することができる。従って、コンデンサによって直流分をカットした場合と同様の出力を出力端ＯＵＴに得ることができる。すなわち、メインアンプ１４において、マイナス電源−ＶＣＣを利用することで、直流分のない出力を得ることができ、従って直流カットコンデンサを省略することができる。
【００４９】
なお、このような構成のメインアンプ１４の動作を停止する場合には、定電流回路ＣＳ１０〜ＣＳ１６の動作を停止すればよい。通常の場合、高電圧電源側の定電流回路ＣＳ１２、１４は、１つの定電流トランジスタとカレントミラーで構成され、また低電圧電源側の定電流回路ＣＳ１０、１６などは他の１つの定電流トランジスタとカレントミラーで構成される。従って、これら２つの定電流トランジスタの電流を禁止することで、アンプを停止することができる。これはプリアンプ１２についても同様である。
【００５０】
ここで、従来の映像信号出力処理回路としては、図８のような回路が使用されていた。図８の回路では、映像信号は、クランプ回路１０によりペデスタルレベルまたはシンクチップレベルがクランプされ、プリアンプ１２、メインアンプ１４で増幅され、このメインアンプ１４の出力は、直流カットコンデンサＣｄｃを介し同軸給電線１６に出力される。
【００５１】
このように、この回路では、出力には、ＤＣ成分カット用のコンデンサＣｄｃが必要となる。映像信号（ビデオ信号）の場合、入出力インピーダンスが７５Ωであることと、信号の低い周波数成分が約６０Ｈｚであり、この低い周波数成分の信号をレベルシフトおよびザグの発生を防止して出力するためには、コンデンサＣｄｃの容量が例えば４７０〜１０００μＦと非常に大きなものになってしまう。このような大きな容量のコンデンサは、価格が高くまた、そのための設置や配線に大きなスペースを必要とする。
【００５２】
デジタルスチルカメラなどの携帯機器では、価格を抑えることおよびスペースを小さくすることが非常に重要であり、コンデンサの容量をできるだけ小さいものに抑えている。しかし、容量を小さくすると、出力の直流成分が変化することになり、出力信号の同期信号の検出が難しくなるなどの問題が生じる。
【００５３】
そこで、図９に示すように、コンデンサＣｄｃの出力を別のコンデンサＣａを介し、メインアンプ１４にフィードバックする回路が知られている。この回路では、コンデンサＣｄｃの容量が２２〜４７０μＦ程度、コンデンサＣａの容量が１０〜２２μＦ程度にできる。そして、この回路によれば、図１０（ａ）の矩形波の入力信号に対し、メインアンプ１４からの出力は図１０（ｂ）のようになり、コンデンサＣｄｃを経た出力は、図１０（ｃ）のようになり、ザグを補正することができる。従って、このようなザグ補正回路を利用することで、コンデンサＣｄｃの容量を小さくできるが、直流シフトを防止するために、やはり大きな容量が必要となっていた。さらに、電源電圧の低電圧化が進んでおり、ザグ補正がより困難になってきている。すなわち、メインアンプ１４の出力で、ダイナミックレンジが不足すると、図１０（ｂ）におけるエッジの突出部分がカットされ、その結果、ザグ補正が不十分になってしまう。このため、映像信号では、同期信号がつぶれてその検出がうまくできなくなるという問題がある。
【００５４】
本実施形態では、上述のようにして、直流カット用のコンデンサを不要として、直流成分を調整した映像信号を得ることができるため、上述のような欠点を解消することができる。
【００５５】
図１１〜図１３は、定電流回路の挿入位置を変更した構成例である。図１１では、図１における定電流回路ＣＳ１を省略し、スイッチＳ３とグランドの間に定電流回路ＣＳ３を設けてある。これによって、スイッチＳ１、Ｓ３をオンした際に、コンデンサＣ１の充電電流は、定電流回路ＣＳ３によって決定される定電流電流になり、図１と同様の作用効果が得られる。
【００５６】
図１２では、図１における定電流回路ＣＳ２を省略し、スイッチＳ４と出力端との間にに定電流回路ＣＳ４を設けてある。これによって、スイッチＳ２、Ｓ４をオンした際に、コンデンサＣ１の放電電流は、定電流回路ＣＳ４によって決定される定電流電流になり、図１と同様の作用効果が得られる。
【００５７】
図１３では、図１における定電流回路ＣＳ１、ＣＳ２を省略し、スイッチＳ３とグランドの間に定電流回路ＣＳ３を設けるとともに、スイッチＳ４と出力端との間にに定電流回路ＣＳ４を設けてある。これによって、スイッチＳ１、Ｓ３をオンした際に、コンデンサＣ１の充電電流は、定電流回路ＣＳ３によって決定される定電流電流になり、スイッチＳ２、Ｓ４をオンした際に、コンデンサＣ１の放電電流は、定電流回路ＣＳ４によって決定される定電流電流になる。
【００５８】
図１４、図１５には、定電流回路ＣＳ１、ＣＳ２の片側を除去した構成例を示してある。すなわち、図１４の構成例では、定電流回路ＣＳ１を省略し、図１５の構成例では、定電流回路ＣＳ２を省略してある。これらの変形例では、コンデンサＣ１の充電または放電のいずれか一方のみが定電流となるが、これによっても充電または放電時のいずれかにおけるノイズの発生を防止することができる。
【図面の簡単な説明】
【００５９】
【図１】実施形態に係るチャージポンプの構成を示す図である。
【図２】比較例のチャージポンプの構成を示す図である。
【図３】実施形態および比較例の波形を示す図である。
【図４】実施形態に係るアンプの構成を示す図である。
【図５】各部の波形を示す図である。
【図６】他の実施形態に係るアンプの構成を示す図である。
【図７】メインアンプの構成を示す図である。
【図８】従来例のアンプの構成を示す図である。
【図９】他の従来例のアンプの構成を示す図である。
【図１０】従来例における各部の波形を示す図である。
【図１１】他の実施形態に係るチャージポンプの構成を示す図である。
【図１２】他の実施形態に係るチャージポンプの構成を示す図である。
【図１３】他の実施形態に係るチャージポンプの構成を示す図である。
【図１４】他の実施形態に係るチャージポンプの構成を示す図である。
【図１５】他の実施形態に係るチャージポンプの構成を示す図である。
【符号の説明】
【００６０】
１０  クランプ回路、１２  プリアンプ、１４  メインアンプ、１６  同軸給電線、１８  同期分離回路、２０  デューティー５０％回路、２２  チャージポンプ回路、２４  インバータ、３０  ＤＣ判定回路、３２  バイアス電流オンオフ回路、３４  基準マイナス電源、Ｃ１，Ｃ２，Ｃｄｃ，Ｃａ  コンデンサ、ＣＳ１〜ＣＳ４，ＣＳ１０〜ＣＳ１６  定電流回路、Ｄ１０〜Ｄ１６  ダイオード、Ｑ１０〜Ｑ３０  トランジスタ、ＯＵＴ  出力端、Ｒ１，Ｒ２  抵抗、Ｓ１〜Ｓ４  スイッチ。
【図１】
2005151777.tif 000003
【図２】
2005151777.tif 000004
【図３】
2005151777.tif 000005
【図４】
2005151777.tif 000006
【図５】
2005151777.tif 000007
【図６】
2005151777.tif 000008
【図７】
2005151777.tif 000009
【図８】
2005151777.tif 000010
【図９】
2005151777.tif 000011
【図１０】
2005151777.tif 000012
【図１１】
2005151777.tif 000013
【図１２】
2005151777.tif 000014
【図１３】
2005151777.tif 000015
【図１４】
2005151777.tif 000016
【図１５】
2005151777.tif 000017